(57)【要約】【課題】簡易な構成で高い溶存酸素濃度と大量の微細気泡を含む気泡水を供給することが可能な高濃度酸素気泡水供給装置、およびこの装置を用いた植物栽培装置を提供する。【解決手段】植物栽培装置は、酸素を含有する気体と液体とを加圧下において混合し、液体中に気体を溶解させて気泡水を生成する気泡水生成装置１と、気泡水生成装置１から供給される気泡水を一時的に貯蔵する気泡水貯蔵タンク２とを備えている。気泡水生成装置１は、液体を導入するベンチュリー管１１と、その下流側の拡がり部１２において加圧下で液体と気体を溶解混合する部分と、さらにその後方に設けられたノズル部１５とを含み、前記溶解混合した液体の流速を前記ノズル部１５で加速させることによって液体中に溶解した気体を放出させ、多数の微細気泡を含む気泡水を生成する。気泡水貯蔵タンク２から高濃度酸素の気泡水を供給する。【選択図】図１
2006304714.tif 000002
【特許請求の範囲】
【請求項１】
酸素を含有する気体と液体とを加圧下で混合し、液体中に気体を溶解させて気泡水を生成する気泡水生成装置と、
前記気泡水生成装置から供給される気泡水を一時的に貯蔵する気泡水貯蔵タンクと、を備え、前記気泡水貯蔵タンクから高濃度酸素の気泡水を供給することを特徴とする高濃度酸素気泡水供給装置。
【請求項２】
前記気泡水生成装置は、導入した液体を絞る絞り部と、その下流側に設けられた拡がり部において加圧下で液体と気体を溶解混合する部分と、さらにその下流側に設けられたノズル部とを含み、前記溶解混合した液体の流速を前記ノズル部で加速させることによって液体中に溶解した気体を放出させ、多数の微細気泡を含む気泡水を生成する、請求項１記載の高濃度酸素気泡水供給装置。
【請求項３】
前記気泡水貯蔵タンクに貯蔵している気泡水の溶存酸素濃度を測定する溶存酸素計と、前記タンクと前記気泡水生成装置とを繋ぐ循環系統と、前記溶存酸素計で測定した溶存酸素濃度に応じて前記循環系統を運転する制御部と、を備えてなる請求項１または２記載の高濃度酸素気泡水供給装置。
【請求項４】
前記気泡水貯蔵タンク内の圧力を検出する内圧検出手段と、この内圧検出手段で検出した圧力に応じてタンク内の気泡水上面に加圧された気体を供給し、タンク内圧を一定に維持する加圧装置とを備えてなる請求項１〜３のいずれかに記載の高濃度酸素気泡水供給装置。
【請求項５】
請求項１〜４のいずれかに記載の高濃度酸素気泡水供給装置と、この装置から供給される気泡水を培地又は土壌に送る給水パイプとを備え、培地又は土壌内で気泡を捕捉させた状態で植物の栽培を行う植物栽培装置。
【請求項６】
液肥を貯蔵する液肥タンクと、この液肥タンクから供給される液肥を前記給水パイプ内で気泡水と混合させる手段とを備える請求項５記載の植物栽培装置。
【発明の詳細な説明】
【技術分野】
【０００１】
この発明は、酸素を含有する気体（例えば空気）と水等の液体とを加圧下で混合し、溶存酸素濃度の大きい高濃度酸素水を供給する装置に関する。
【背景技術】
【０００２】
魚介類の養殖や植物の育成分野においては、供給する水の酸素濃度が十分な値を維持するように管理することが必要な場合がある。例えば、植物の生育に必要な潅水においては、根の部分に十分な酸素を供給できるように水の酸素濃度を高めることが要求される。特に、一般の土壌とは異なる培地を使用して多数の植物を栽培するときには酸欠状態を起こしやすくなり、結果として根の成長を妨げてしまう。この現象は、水温の上昇により溶存酸素濃度が低下する夏場において特に顕著である。
【０００３】
この問題を解決するには、土壌や培地に給水パイプを通し、この給水パイプにより、継続的に高濃度酸素養液（液肥の混合されたもの）を根の部分に供給することが望まれる。そこで、一定の圧力下で水と酸素を混合することで高濃度酸素養液を生成し、これを給水パイプを介して植物の根の部分に継続して供給する種々の装置が提案されている。
【０００４】
例えば、特許文献１に記載の装置では、加圧ミキシングタンクに酸素と水を供給し、供給された水に酸素の一部を溶解することで高濃度酸素水を生成するようにしている。
【特許文献１】特開２００１−２１１７７０号公報
【発明の開示】
【発明が解決しようとする課題】
【０００５】
しかしながら、特許文献１に示される装置は、水に酸素を高効率で混合させる必要性から加圧ミキシングタンク内を常時加圧しておく必要があり、装置全体として構造が複雑であり、また、加圧条件が変化すると溶存酸素濃度も変動するため安定した物理状態の高濃度酸素養液を供給することが困難である。また、タンクは酸素と水を混合するためのバッファとして使用しているすぎないため、タンク内の溶存酸素濃度を一定値に保つことも困難である。
【０００６】
この発明は、簡易な構成で高い溶存酸素濃度と大量の微細気泡を含む気泡水を効率よく安定して供給することが可能な高濃度酸素気泡水供給装置、およびこの装置を用いた植物栽培装置を提供することを目的とする。    
【課題を解決するための手段】
【０００７】
この発明は、酸素を含有する気体と液体とを加圧下で混合し、液体中に気体を溶解させて気泡水を生成する気泡水生成装置と、
前記気泡水生成装置から供給される気泡水を一時的に貯蔵する気泡水貯蔵タンクと、を備え、前記気泡水貯蔵タンクから高濃度酸素の気泡水を供給することを特徴とする。
【０００８】
気泡水生成装置としては、導入した液体をベンチュリー管やオリフィス等で絞る「絞り部」と、その下流側の「拡がり部」において加圧下で液体と気体を溶解混合する部分と、さらにその下流側に設けられた「ノズル部」とを含み、前記溶解混合した液体の流速を前記「ノズル部」で加速させることによって液体中に溶解した気体を放出させ多数の微細気泡を含む気泡水を生成するように構成したものが望ましい。
【０００９】
この発明では、気体としては例えば空気または酸素が使用され、液体としては例えば水が使用される。また、この発明で気泡水とは気泡が含まれる液体を意味する。この発明を上記のように構成することにより、気泡水生成装置において、溶存酸素濃度が高く微細気泡を多く含む気泡水が生成されるため、気泡水生成のためにその下流側に加圧した気泡水貯蔵タンクを必要としない。また、気泡水生成装置をベンチュリー管やオリフィス等を含む上記のように構成することで、小型の装置で溶存酸素濃度が高く、微細気泡を多量に含み、気泡寿命の長い気泡水を安定して生成することができる。
【００１０】
この発明の別の実施態様では、前記気泡水貯蔵タンクに貯蔵している気泡水の溶存酸素濃度を測定する溶存酸素計と、前記タンクと前記気泡水生成装置とを繋ぐことにより前記タンクに貯蔵される気泡水を前記気泡水生成装置に導入する循環系統と、前記溶存酸素計で測定した溶存酸素濃度に応じて前記循環系統を運転することにより、前記タンク内の気泡水の溶存酸素濃度に応じて前記循環系統から溶存酸素濃度の低下した気泡水を気泡水生成装置に導入し、高濃度溶存酸素の気泡水として前記タンクに循環供給する制御部と、を備えている。
【００１１】
このような構成によれば、タンク内に貯蔵している気泡水の液相面から気泡が放出して溶存酸素濃度が低下するような挙動を示しても、溶存酸素計がこれを検知して循環系統を運転し、高濃度溶存酸素を含む気泡水を前記タンクに供給することができるため、タンク内の気泡水の溶存酸素濃度を一定に維持することができる。また、気泡水生成装置を連続運転することなく効率的に溶存酸素濃度の高い気泡水を安定して植物栽培装置等に供給することができる。
【００１２】
この発明のさらに他の実施態様では、前記気泡水貯蔵タンクの内部圧力を検出するタンク内圧検出手段とこのタンク内圧の低下を検出してタンク内の液面上方に圧縮空気等の気体を供給する加圧装置を備えている。
【００１３】
上記構成によれば、気泡水供給により、タンクの気泡水液面が低下し、タンク内圧が低下すると前記加圧装置が作動して、圧縮空気等をタンクに供給してタンク内圧力を一定に維持できるため、気泡水液面からの気泡放出を防止することができる。
【発明の効果】
【００１４】
この発明によれば、溶存酸素濃度が高く微細気泡を多く含む気泡水は気泡水生成装置で生成されるために、構造が単純化され、その生成された気泡水は気泡水貯蔵タンクで一旦貯蔵してから植物栽培装置等の外部に供給されるため、気泡水生成装置を連続運転することなく、効率的に溶存酸素濃度の高い気泡水を安定的に供給することができる。
【発明を実施するための最良の形態】
【００１５】
図１は、この発明の実施形態である植物栽培装置の全体の構成図である。
【００１６】
水はバルブＶ１を介して溶存酸素濃度の高い気泡水を生成する気泡水生成装置（以下、本明細書ではＧＡＬＦ（登録商標）と称する）１に導入され、このＧＡＬＦ１内で大気中の空気と水とを混合する。ＧＡＬＦ１は、その構成について特許２５５４６０８号公報に詳細に示されているように、ベンチュリー管やオリフィス等の絞り部に導入した水をその下流側の拡がり部において加圧下で溶解混合し、さらにその下流側に設けられたノズル部で混合流速を加速させることによって液体中に溶解した気体を放出させ、多数の微細気泡を含む気泡水を生成する。
【００１７】
図２は、このＧＡＬＦ１の断面構成図である。
【００１８】
このＧＡＬＦ１は、絞り部である、のど部１０が中央部に設けられたベンチュリー管１１を備えている。このベンチュリー管１１の下流側の拡がり部１２には、のど部１０のわずか下流側に、気体（大気）を流路中に混合させるための気体流入口１３が形成されている。
【００１９】
拡がり部１２の下流側には、気体流入口１３から流入した気体と流路中の水とを混合する混合部１４が設けられている。混合部１４は、外径を加圧の程度に応じて任意に設定することができる。この例では、拡がり部１２の最大径から延長した形状に設定され、この混合部１４の下流側先端にノズル口１５が形成されている。
【００２０】
以上の構成のＧＡＬＦ１では、導入部１６に流入した水は、ベンチュリー管１１ののど部１０で加速され、拡がり部１２で流速が遅くなり静圧が増大する。このとき、気体が流路中に流入して水と混合する。混合した気体は気泡となり混合部１４内に流れ、混合部１４の静圧がのど部１０より高いので水に溶解していく。そして、気体が溶解された水は溶解しきらない気泡とともに混合水としてノズル口１５に達する。ノズル口１５では混合水の流速は再び加速されるので静圧は低くなり、水に溶解していた気体が微小気泡として放出する。さらに、溶解しきらない気泡も、ノズル口１５で加速される際に、水流の乱れにより気泡のせん断、細分化現象が生じる。その結果、ノズル口１５からは、溶存酸素濃度が高く、且つ大量の微細気泡が含まれる気泡水が出力される。
【００２１】
このように、ＧＡＬＦ１により、溶存酸素濃度が高く、且つ、微細気泡が大量に含まれた水が外部に供給されるようになる。
【００２２】
ＧＡＬＦ１で生成された気泡水は、一旦気泡水貯蔵タンク２に供給される。
【００２３】
気泡水貯蔵タンク２は、ＧＡＬＦ１で生成される気泡水の溶存酸素濃度を培地や植物栽培装置の稼働状況に左右されることなく安定に維持するとともに、気泡生成装置の運転を間歇的に効率よく行うものである。
【００２４】
気泡水貯蔵タンク２内では、時間の経過とともに一部の微細気泡同士が合体することで視認可能な大きさの気泡となり、且つその気泡は液相の上面まで上昇して放出消滅するが、その場合でも液相部は高い溶存酸素濃度を維持している。溶存酸素濃度は、典型的には、夏場を想定（水温３０度）した場合でも２時間後で１０〜１６ｐｐｍ程度である。
【００２５】
気泡水貯蔵タンク２に貯蔵された気泡水は、ポンプ３により適宜下流側に送られる。ポンプ３の後方にはモータにより弁開閉が可能なモータバルブ４が設けられ、このバルブ4 を通して供給される気泡水は給水パイプ５により、調整弁６とチューブ１５を介して培地７に送られる。給水パイプ５には複数の調整弁６が設けられ、また、必要に応じてこの調整弁６の追加も可能である。
【００２６】
ＧＡＬＦ１と給水パイプ５との間に気泡水貯蔵タンク２が設けられることにより、給水パイプ５に接続されるチューブ１５の数が変化しても、ＧＡＬＦ１の出力側（ノズル口１５側）の条件に変動はないため、ＧＡＬＦ１で生成される気泡水は溶存酸素濃度や微細気泡量が変動しない物理的に安定したものとなる。
前記モータバルブ４と、最初の調整弁６との間には、電気伝導率センサ８と流量計９が設けられている。電気伝導率センサ８は電気伝導計１０に接続され、ここで計測した電気伝導率は液肥タンク１１、１２に接続されたモータバルブ１３、１４に出力される。電気伝導率は、液肥濃度に相関するため、簡易的にセンサ８により電気伝導率を計測することにより給水パイプ５を流れる気泡水の液肥濃度を計測し、この値が一定になるようにモータバルブ１３、１４をコントロールする。モータバルブ１３、１４で流量調整された液肥はモータバルブ４と電気伝導率センサ８の間で気泡水と混合される。
【００２７】
以上の構成で、溶存酸素濃度が高く、且つ微細気泡が大量に含まれる気泡水は複数に分離されている各培地７に供給され、その気泡水の溶存酸素濃度や微細気泡の量、および液肥混合量は常に安定したものとなる。
【００２８】
培地７に供給された気泡水は、多量の微細気泡を含んでおり、この微細気泡は培地や植物の根に付着して視認できる程度の大きさの気泡として長時間存在するとともに、気泡水は高濃度の溶存酸素濃度を維持しているため、根の生育に必要な酸素を供給することが可能になる。図３は、培地や根に気泡が付着している状態を写した写真画像である。図において、円形状に見えるものが気泡であり、気泡の周囲に培地や根があることがわかる。
【００２９】
発明者等の実験によれば、気泡水貯蔵タンク２から数十メートル離れた培地７においても、培地や培地内の根に多数の気泡が付着していることが観察され、また、この気泡は夏場の高温環境下（３０度）においても５時間以上保持されることが確認された。通常、液肥の混合された水を潅水する場合、１時間に２回程度（概ね３０分毎）であることが多いため、本実施形態の装置を使用することにより潅水間隔を広げても上記に述べた機能を十分に実現することが可能である。
【００３０】
以上の構成からなる植物栽培装置では、夏場等、植物根域の酸素濃度が低下しやすい環境下でも、潅水中も含めて酸素欠乏状態に陥ることがなく、連続して溶存酸素濃度の高い気泡水を培地に供給することができる。また、培地や根に直接気泡を付着させることができるため、潅水の浸透に応じて培地の深層部まで高濃度の酸素を供給でき、且つ長時間にわたってこの状態を維持することが可能である。
【００３１】
図４は、この発明の他の実施形態を示している。
【００３２】
この実施形態では、ＧＡＬＦ１と気泡水貯蔵タンク２間にモータバルブＶ２を接続した気泡水循環路２０と、気泡水貯蔵タンク２内に貯蔵されている気泡水の溶存酸素濃度を計測する溶存酸素計２１とを設けている。
【００３３】
気泡水貯蔵タンク２内に貯蔵されている気泡水の液相部は高い溶存酸素濃度を維持しているが、長時間放置するとその値は低下していく。そこで、液相部の溶存酸素濃度を溶存酸素計２１で計測しておき、この値が一定値以下になればモータバルブＶ２を駆動して気泡水循環路２０により、気泡水貯蔵タンク２内の気泡水をＧＡＬＦ１に戻してやる。このようにすることで、気泡水貯蔵タンク２内に貯蔵されている気泡水の溶存酸素濃度や微細気泡の混合量を安定した状態にすることができる。
【００３４】
図５は、この発明のさらに他の実施形態を示している。
【００３５】
この実施形態では、気泡水貯蔵タンク２に加圧装置２２を接続し、タンク２内の気体部の圧力を検出するセンサ２３を設けている。この加圧装置２２は、センサ２３により、気泡水貯蔵タンク２の液相面への圧力が一定値以下に低下したこと検出すると、タンク２内に気体を供給して圧力低下を防ぐ。タンク２内の圧力は大気圧よりやや高めに設定する。気体は空気でも酸素でも良い。
【００３６】
気泡水貯蔵タンク２から下流側への気泡水の供給量が、ＧＡＬＦ１側から供給される気泡水生成量を上回ると前記タンク２内の気泡水液面が低下し、タンク内の内圧が低下するため、液相からの気泡上昇、放出が増え、液相中の微細気泡数が減少する。しかし、タンク内に加圧装置２２から圧縮気体を供給することにより、液相面からの気泡放出を抑制することができ、液相中の微細気泡の減少を抑制することができる。また、このときの加圧装置２２の圧力はタンク２からの気泡水供給に対して有利に作用する。なお、タンク内の圧力は、大気圧よりもやや高めに設定するのが望ましい。
【００３７】
以上の実施形態では、気泡水の供給先を培地としたが、通常の土壌であっても良い。また、水に代えて液肥の混合した溶液を気泡水生成装置に供給することもできる。
【図面の簡単な説明】
【００３８】
【図１】この発明の実施形態である植物栽培装置の全体の構成図である。
【図２】上記植物栽培装置に使用する気泡水生成装置の構成図である。
【図３】培地や根に気泡が付着している状態を写した写真画像を示す図である。
【図４】この発明の他の実施形態である植物栽培装置の一部構成図である。
【図５】この発明のさらに他の実施形態である植物栽培装置の一部構成図である。
【符号の説明】
【００３９】
１−ＧＡＬＦ（気泡水生成装置）
２−気泡水貯蔵タンク
７−培地
【図１】
2006304714.tif 000003
【図２】
2006304714.tif 000004
【図３】
2006304714.tif 000005
【図４】
2006304714.tif 000006
【図５】
2006304714.tif 000007